(57)【要約】【課題】土壌にカルシウムと硫黄分を供給することができると共に、これらの吸収効率が炭酸カルシウムよりも高く、更に扱いやすい土壌改質剤の製造方法を提供する。【解決手段】硫酸イオン及びカルシウムイオンを一体又は別体で含有する原料及びフルボ酸溶液の混合物を混錬する混錬工程と、混錬した前記混合物を造粒する造粒工程と、造粒した前記混合物を乾燥する乾燥工程と、を含むことを特徴とする土壌改質剤の製造方法。【選択図】図１
2020084170.tif 000002
【特許請求の範囲】
【請求項１】
硫酸イオン及びカルシウムイオンを一体又は別体で含有する原料及びフルボ酸溶液の混合物を混錬する混錬工程と、
混錬した前記混合物を造粒する造粒工程と、
造粒した前記混合物を乾燥する乾燥工程と、
を含むことを特徴とする土壌改質剤の製造方法。
【請求項２】
前記混錬工程において水で１００倍〜３００倍に希釈された前記フルボ酸を前記原料２０ｋｇに対して１０〜２０ｃｃ添加することを特徴とする請求項１に記載の土壌改質剤の製造方法。
【請求項３】
前記乾燥工程後に２４時間以上、室温以上の温度環境下で前記混合物を静置する養生工程を含むことを特徴とする請求項１又は２に記載の土壌改質剤の製造方法。
【請求項４】
前記フルボ酸溶液に含まれるフルボ酸の平均分子量が０．１×１０３〜４．５×１０３であることを特徴とする請求項１乃至３の何れか１項に記載の土壌改質剤の製造方法。
【請求項５】
前記フルボ酸溶液は、１ｋｇの土壌に対して０．１Мのアルカリ溶液で腐食酸を抽出し、更に０．１Мの塩酸を加えてフミン酸を沈殿させた残りの上澄み液であることを特徴とする請求項１乃至４の何れか１項に記載の土壌改質剤の製造方法。
【請求項６】
硫酸イオン及びカルシウムイオンを一体又は別体で含有する原料及び平均分子量が０．１×１０３〜４．５×１０３のフルボ酸を含む粒状体であることを特徴とする土壌改質剤。
【発明の詳細な説明】
【技術分野】
【０００１】
本発明は、農地の土壌を改質するための土壌改質剤の製造方法及び土壌改質剤に関する。
【背景技術】
【０００２】
従来、農作物の成長促進や病気の発生防止のため、土壌に土壌改質剤を散布し、土壌の改質をすることが行われている。
【０００３】
例えば、カルシウムは農作物の成長に欠かせない栄養素であり、カルシウムが欠乏すると根と葉の成長が阻害され、壊死等の症状が生じる。
【０００４】
また、硫黄分も農作物には欠かせない栄養素であり、硫黄分が欠乏すると、葉の黄化等の症状が生じる。
【０００５】
そこで、カルシウムと硫黄分の不足を防止するため、土壌改質剤として硫酸カルシウムを用いて農地の土壌を改質することが行われている（特許文献１参照）。硫酸カルシウムを土壌に散布することにより、植物の生育に必要なカルシウムと硫黄分を土壌に供給することができる。
【先行技術文献】
【特許文献】
【０００６】
【特許文献１】特開昭５６−５９８９１号公報
【発明の概要】
【発明が解決しようとする課題】
【０００７】
上述したように、硫酸カルシウムは土壌にカルシウムと硫黄分を供給する土壌改質剤として広く用いられているが、これらの栄養素を土壌に供給すると共に、各種栄養分の供給効率を高めることのできる土壌改質剤を製造することができれば好ましい。また、こうした土壌改質剤は、更に扱いやすい、すなわち、散布しやすく、運搬時や散布時に埃が飛散しないものであればなお好ましい。
【０００８】
そこで、本発明は、上述した問題点に鑑みて案出されたものであり、土壌にカルシウムと硫黄分を供給することができると共に、各種栄養分の供給効率が硫酸カルシウム単体からなる土壌改質剤よりも高く、更に扱いやすい土壌改質剤の製造方法及びこのような土壌改質剤を提供することを目的とする。
【課題を解決するための手段】
【０００９】
本発明に係る土壌改質剤の製造方法は、硫酸イオン及びカルシウムイオンを一体又は別体で含有する原料及びフルボ酸溶液の混合物を混錬する混錬工程と、混錬した前記混合物を造粒する造粒工程と、造粒した前記混合物を乾燥する乾燥工程と、を含むことを特徴とする。
【００１０】
上述した本発明に係る土壌改質剤の製造方法によれば、土壌にカルシウムと硫黄分を供給することができると共に、ミネラルの溶出を促進するフルボ酸の効果により、各種栄養分の供給効率が炭酸カルシウム単体からなる土壌改質剤よりも高い土壌改質剤を製造することができる。また、本発明に係る土壌改質剤の製造方法によれば、粒状で土壌に散布及び混合しやすく、散布時に埃が散布しない土壌改質剤を製造することができる。
【００１１】
上述した本発明に係る土壌改質剤の製造方法においては、前記混錬工程において水で２００倍に希釈された前記フルボ酸を前記原料２０ｋｇに対して１０〜２０ｃｃ添加してもよい。これにより、フルボ酸による養分の吸収促進効果を十分に発揮しつつ、製造コストを抑えることが可能となる。
【００１２】
上述した本発明に係る土壌改質剤の製造方法においては、前記乾燥工程後に２４時間以上、室温以上の温度環境下で静置する養生工程を含んでもよい。これにより、土壌改質剤をより硬化させ、扱いやすいものとすることができる。
【００１３】
上述した本発明に係る土壌改質剤の製造方法においては、前記フルボ酸溶液に含まれるフルボ酸の平均分子量が０．１×１０３〜４．５×１０３であってもよい。
【００１４】
上述した本発明に係る土壌改質剤の製造方法においては、前記フルボ酸溶液は、１ｋｇの土壌に対して０．１Мのアルカリ溶液で腐食酸を抽出し、更に０．１Мの塩酸を加えてフミン酸を沈殿させた残りの上澄み液であってもよい。
【００１５】
また、本発明に係る土壌改質剤は、硫酸イオン及びカルシウムイオンを一体又は別体で含有する原料及び平均分子量が０．１×１０３〜４．５×１０３のフルボ酸を含む粒状物であることを特徴とする。
【００１６】
上述した本発明に係る土壌改質剤によれば、土壌にカルシウムと硫黄分を供給することができると共に、ミネラルの溶出を促進するフルボ酸の効果により、各種栄養分の供給効率が炭酸カルシウム単体からなる土壌改質剤よりも高い土壌改質剤とすることができる。また、本発明に係る土壌改質剤によれば、粒状で土壌に散布及び混合しやすく、散布時に埃が散布しない土壌改質剤とすることができる。
【発明の効果】
【００１７】
上述した構成からなる本発明によれば、土壌にカルシウムと硫黄分を供給することができると共に、各種栄養分の吸収効率が硫酸カルシウム単体からなる土壌改質剤よりも高く、更に扱いやすい土壌改質剤の製造方法及び土壌改質剤を提供することが可能となる。
【図面の簡単な説明】
【００１８】
【図１】本発明の実施形態に係る土壌改質剤の製造方法を示すフローチャートである。
【図２】本発明の実施例に係る土壌改質剤を用いた土壌の電気伝導率を示すグラフである。
【図３】本発明の実施例に係る土壌改質剤を用いた土壌の陽イオン交換容量を示すグラフである。
【図４】本発明の実施例に係る土壌改質剤のＣ／Ｎ比を示すグラフである。
【図５】本発明の実施例に係る土壌改質剤を用いた土壌の塩基飽和度を示すグラフである。
【図６】本発明の実施例に係る土壌改質剤を用いた土壌の有効態リン酸量を示すグラフである。
【図７】本発明の実施例に係る土壌改質剤を用いた土壌の交換性マグネシウム量を示すグラフである。
【図８】本発明の実施例に係る土壌改質剤を用いた土壌の交換性カリウム量を示すグラフである。
【図９】本発明の実施例に係る土壌改質剤を用いた土壌の交換性ナトリウム量を示すグラフである。
【図１０】本発明の実施例に係る土壌改質剤を用いた土壌の遊離酸化鉄量を示すグラフである。
【図１１】本発明の実施例に係る土壌改質剤を用いた土壌の交換性マンガン量を示すグラフである。
【発明を実施するための形態】
【００１９】
以下、本発明の実施形態に係る土壌改質剤の製造方法について図を用いて説明する。
【００２０】
本実施形態に係る土壌改質剤の製造方法により製造される土壌改質剤は、硫酸カルシウムを含む原料及び水で希釈したフルボ酸の混合物を用いて製造される。
【００２１】
硫酸カルシウム（ＣａＳＯ４）は、石膏の主成分であり、水に溶けるとカルシウムイオン（Ｃａ２＋）と硫酸イオン（ＳＯ４２−）になることで、土壌にカルシウムと硫黄分を供給することができる。なお、硫酸カルシウムを含む原料として、硫酸カルシウム以外に、例えば肥料となる鶏糞、牛糞、炭化鶏糞や、木炭、竹炭等を含んでもよいが、その場合でも主成分は硫酸カルシウムとなるようにする。原料として炭酸カルシウムのみを含んでもよい。なお、本実施形態においては硫酸成分及びカルシウム成分として硫酸カルシウムを用いているが、本発明においてはこれに限らず、硫酸イオンとカルシウムイオンの供給源としてそれぞれ別の原料を用いてもよい。
【００２２】
フルボ酸は、植物などが微生物により分解される最終生成物である腐植物質のうち、酸によって沈殿しない無定形高分子有機酸である。フルボ酸は、多くの金属と錯体を形成することができるため、ミネラルの溶出を促進し、その養分を保持する機能を備えている。
【００２３】
次に、本実施形態に係る土壌改質剤の製造方法の各工程について説明する。図１は、本発明の実施形態に係る土壌改質剤の製造方法を示すフローチャートである。
【００２４】
まず、硫酸カルシウムを含む原料及び水で希釈したフルボ酸の混合物を混合し混錬する混錬工程が行われる（ステップＳ１）。本実施形態において投入されるフルボ酸の希釈液は、フルボ酸を水で２００倍に希釈したものであり、硫酸カルシウムを含む原料２０ｋｇに対して１０〜２０ｃｃ、好ましくは１６ｃｃ添加される。この濃度及び添加量のフルボ酸水溶液を用いることにより、養分の吸収促進効果を十分に発揮しつつ、製造コストを抑えることが可能となる。また、原料の主成分は硫酸カルシウムとなるように原料の調製が行われる。混錬工程は市販の混錬機を用いて行われる。
【００２５】
次に、混錬した混合物を造粒する造粒工程が行われる（ステップＳ２）。造粒工程は、市販の造粒機で行われる。粒径は、５ｍｍ〜７ｍｍである。５ｍｍ未満であると土壌への散布時に風で飛散し適切な散布ができない可能性がある。また、７ｍｍを超えると土壌への均一な散布が困難になる。
【００２６】
次に、造粒した混合物を乾燥する乾燥工程が行われる（ステップＳ３）。乾燥工程は、１１０℃〜１５０℃の温度で顆粒を乾燥することで行われる。この際の乾燥時間は粒径により異なるが、乾燥が不十分であると顆粒同士が癒着し、団子状になって散布が困難になってしまう。一方、乾燥を行いすぎると、輸送時に顆粒同士が擦れ合って粉状化する可能性がある。そのため、適度な水分量を保つことが重要である。
【００２７】
次に、乾燥工程後に２４時間以上、室温以上の温度環境下で乾燥した混合物を静置する養生工程が行われる（ステップＳ４）。これにより、土壌改質剤をより硬化させ、扱いやすいものとすることができる。なお、この養生工程は必須の工程ではなく、上述した乾燥工程において混合物が十分に硬化している場合には省略することができる。
【００２８】
こうしてステップＳ１〜ステップＳ４（ステップＳ４を省略する場合にはステップＳ３）の工程を経て、土壌改質剤が完成する。
【００２９】
上述した本実施形態に係る土壌改質剤の製造方法によると、土壌にカルシウムと硫黄分を供給することができると共に、ミネラルの溶出を促進するフルボ酸の効果により、各種栄養分の供給効率が硫酸カルシウムよりも高い土壌改質剤を製造することができる。また、本発明に係る土壌改質剤の製造方法によれば、粒状で土壌に散布及び混合しやすく、散布時に埃が散布しない土壌改質剤を製造することができる。
【実施例】
【００３０】
次に、実施例により本発明をより詳細に説明する。なお、本発明は以下の実施例によって何ら制限されるものでない。
【００３１】
土壌改質剤の製造例
硫酸カルシウム２０ｋｇに対して１６ｃｃのフルボ酸溶液が混合されて、上述した製造方法（図１のステップＳ１〜Ｓ４）により土壌改質剤が作成された。
【００３２】
フルボ酸溶液の調製では、まず、伊勢原市の平地林から表層土（表面から２〜７ｃｍにある土壌）を採土し、１ｋｇの表層土あたり０．１Мのアルカリ溶液で腐食酸を抽出することが行われた。そして、この抽出液に０．１Мの塩酸を加えてフミン酸を沈殿させ、残りの上澄み液をフルボ酸溶液とした。このとき抽出されたフルボ酸の平均分子量は０．１×１０３〜４．５×１０３となった。
【００３３】
フルボ酸溶液は、１００倍（Ｅ−１００）、２００倍（Ｅ−２００）、３００倍（Ｅ−３００）の希釈度の異なる３つの水溶液が用意され、それぞれの希釈度のフルボ酸溶液を用いて、上述した製造方法により土壌改質剤が製造された。また、比較例として、硫酸カルシウム２０ｋｇに１６ｃｃの水が混合され、同様に造粒工程、乾燥工程及び養生工程を経て比較用の土壌改質剤（Ｅ−０）が作成された。
【００３４】
電気伝導率（ＥＣ）
図２は、本発明の実施例に係る土壌改質剤を用いた土壌の電気伝導率を示すグラフである。電気伝導率（ＥＣ）は、土壌中の塩類濃度、特に窒素肥料の残存量を示す指標であり、ＥＣが高いほど養分が多く残存していることになる。ＥＣの測定は、室温（２５℃）で、市販のＥＣメーターを用いて行った。Ｅ−０の比較例と比較し、Ｅ−１００、Ｅ−２００、Ｅ−３００の３つのサンプルを散布した土壌でいずれもＥＣの上昇が見られた。すなわち、フルボ酸を含有する土壌改質剤を用いた土壌の方がより多くの養分を含むことが確認された。
【００３５】
陽イオン交換容量（ＣＥＣ）
図３は、本発明の実施例に係る土壌改質剤を用いた土壌の陽イオン交換容量を示すグラフである。陽イオン交換容量（ＣＥＣ）は、土壌粒子が陽イオンを吸着できる最大値である。本発明に係る土壌改質剤の製造方法により製造される土壌改質剤は陽イオンを放出しやすい方が良く、これはすなわち、ＣＥＣが低ければ低い方が良いということになる。ＣＥＣの測定は、室温で、ショーレンベルジャー法を用いて行われた。なお、浸出管に充填する土壌の重量は１０ｇであった。Ｅ−１００、Ｅ−２００、Ｅ−３００の３つのサンプルを散布した土壌のＣＥＣは、Ｅ−０を散布した土壌と比較して、ＣＥＣは僅かに上昇したが、いずれも１ｃｍｏｌ（＋）ｋｇ−１程度の低い値となった。すなわち、本実施例に係る土壌改質剤は、いずれも陽イオンの放出性がＥ−０と比較してほとんど低下しないことが確認された。
【００３６】
Ｃ／Ｎ比
図４は、本発明の実施例に係る土壌改質剤のＣ／Ｎ比を示すグラフである。Ｃ／Ｎ比は、炭素（Ｃ）と窒素（Ｎ）の比を示しており、Ｃ／Ｎ比が高い資材であるほど腐敗しにくい傾向があり、１０以下の資材では腐敗しやすい傾向がある。Ｃ／Ｎ比の測定は、Ｙａｎａｃｏ社製のＣ−Ｈ−ＮコーダーＭＴ−６を用いて行われた。Ｅ−１００、Ｅ−２００、Ｅ−３００の３つのサンプルのＣ／Ｎ比は、Ｅ−０のサンプルと比較して高くなっていることから、フルボ酸を添加することにより、より腐敗しにくい土壌改質剤となっていることが分かる。
【００３７】
塩基飽和度
図５は、本発明の実施例に係る土壌改質剤を用いた土壌の塩基飽和度を示すグラフである。塩基飽和度は土壌の塩基置換容量（ＣＥＣ）のうちの何％が塩基で占められているかを示す数値である。塩基飽和度は、上述したＣＥＣ測定後、サンプル中の各塩基（カルシウム、マグネシウム、カリウム、ナトリウム）について、酢酸アンモニウム浸出法を用いて浸出させ、各交換性塩基量を原子吸光光度計により室温で計測した後、各交換性塩基量／ＣＥＣ×１００（％）を計算することで算出された。塩基飽和度が１００％の状態では、土壌が限界まで塩基を保持していることになる。なお、土壌の陽イオン交換座が飽和された状態で更に塩基が存在しているため、これらの塩基は塩となって土壌に析出した状態であり、塩基飽和度はＣＥＣを超えた値になっている。
【００３８】
有効態リン酸量
図６は、本発明の実施例に係る土壌改質剤を用いた土壌の有効態リン酸量を示すグラフである。リン酸はおもに開花や結実に関係し、リン酸が欠乏すると農作物の減収につながる。有効態リン酸量の測定は、トルオーグ法により可給体リン酸を測定することにより行われた。図６に示すように、Ｅ−１００、Ｅ−２００、Ｅ−３００の３つのサンプルを用いた土壌の有効態リン酸量は、Ｅ−０のサンプルを用いた土壌の有効態リン酸量と比較して２倍程度高くなっている。これにより、フルボ酸を含有する土壌改質剤を用いた土壌の方がより多くのリン酸を含むことが分かる。
【００３９】
交換性マグネシウム量
図７は、本発明の実施例に係る土壌改質剤を用いた土壌の交換性マグネシウム量を示すグラフである。マグネシウム（Ｍｇ）は、葉緑素を構成する成分で、植物体内の多様な酵素の活性化を促進する。交換性マグネシウムの測定は、室温条件下で、上述したショーレンベルジャー法による浸出液中のマグネシウム量を測定することで行われた。図７に示すように、Ｅ−１００、Ｅ−２００、Ｅ−３００の３つのサンプルを用いた土壌の交換性マグネシウム量は、Ｅ−０のサンプルを用いた土壌の交換性マグネシウム量と比較して２倍程度高くなっている。これにより、フルボ酸を含有する土壌改質剤を用いた土壌の方がより多くのマグネシウムを含むことが分かる。
【００４０】
交換性カリウム量
図８は、本発明の実施例に係る土壌改質剤を用いた土壌の交換性カリウム量を示すグラフである。カリウム（Ｋ）は、主に根の発育を促進する。Ｅ−１００、Ｅ−２００、Ｅ−３００の３つのサンプルを用いた土壌の交換性カリウム量は、Ｅ−０のサンプルを用いた土壌の交換性カリウム量と比較して１０％程度高くなっている。これにより、フルボ酸を含有する土壌改質剤を用いた土壌の方がより多くのカリウムを含むことが分かる。
【００４１】
交換性ナトリウム量
図９は、本発明の実施例に係る土壌改質剤を用いた土壌の交換性ナトリウム量を示すグラフである。ナトリウム（Ｎａ）は、特定の作物の生育に有効な微量元素である。交換性ナトリウム量の測定は、室温条件下において、上述したショーレンベルジャー法による浸出液中のナトリウム量を、測定炎光光度分析法を用いて測定することで行われた。Ｅ−１００、Ｅ−２００、Ｅ−３００の３つのサンプルを用いた土壌の交換性ナトリウム量は、Ｅ−０のサンプルを用いた土壌の交換性ナトリウム量と比較して３０％程度高くなっている。これにより、フルボ酸を含有する土壌改質剤を用いた土壌の方がより多くのナトリウムを含むことが分かる。
【００４２】
遊離酸化鉄量
図１０は、本発明の実施例に係る土壌改質剤を用いた土壌の遊離酸化鉄量を示すグラフである。鉄（Ｆｅ）は、葉緑素の前駆物質の合成に関与し、また、光合成の化学反応に関わる酵素の構成成分である。遊離酸化鉄量の測定は、チオ硫酸ナトリウム及びＥＤＴＡ（エチレンジアミン四酢酸）による土壌の抽出液について、原子吸光光度分析法を用いることで行われた。Ｅ−１００、Ｅ−２００、Ｅ−３００の３つのサンプルを用いた土壌の遊離酸化鉄量は、Ｅ−０のサンプルを用いた土壌の遊離酸化鉄量と比較して４０％程度高くなっている。これにより、フルボ酸を含有する土壌改質剤を用いた土壌の方がより多くの鉄を含むことが分かる。
【００４３】
交換性マンガン量
図１１は、本発明の実施例に係る土壌改質剤を用いた土壌の交換性マンガン量を示すグラフである。マンガン（Ｍｎ）は、葉緑素の生成、光合成、酵素の活性化等、生理的に重要な役割を果たす元素である。交換性マンガン量の測定は、室温条件下において、上述したショーレンベルジャー法による浸出液中のマンガン量を原子吸光光度計により測定することで行われた。Ｅ−１００、Ｅ−２００、Ｅ−３００の３つのサンプルを用いた土壌の交換性マンガン量は、Ｅ−０のサンプルを用いた土壌の交換性マンガン量と比較して２５％程度高くなっている。これにより、フルボ酸を含有する土壌改質剤を用いた土壌の方がより多くのマンガンを含むことが分かる。
【００４４】
本発明に係る土壌改質剤の製造方法によると、土壌にカルシウムと硫黄分を供給することができると共に、ミネラルの溶出を促進するフルボ酸の効果により、各種栄養分の供給効率が硫酸カルシウムのみからなる土壌改質剤よりも高い土壌改質剤を製造することができる。また、本発明に係る土壌改質剤の製造方法によれば、粒状で土壌に散布及び混合しやすく、散布時に埃が散布しない土壌改質剤を製造することができる。
【００４５】
特に本発明に係る土壌改質剤の製造方法によると、土壌の電気伝導率（ＥＣ）、陽イオン交換容量（ＣＥＣ）、Ｃ／Ｎ比、塩基飽和度、有効態リン酸量、交換性マグネシウム量、交換性カリウム量、交換性ナトリウム量、遊離酸化鉄量及び交換性マンガン量を、硫酸カルシウム単体からなる土壌改質剤よりも高くすることができる土壌改質剤を製造することができる。
【図１】
2020084170.tif 000003
【図２】
2020084170.tif 000004
【図３】
2020084170.tif 000005
【図４】
2020084170.tif 000006
【図５】
2020084170.tif 000007
【図６】
2020084170.tif 000008
【図７】
2020084170.tif 000009
【図８】
2020084170.tif 000010
【図９】
2020084170.tif 000011
【図１０】
2020084170.tif 000012
【図１１】
2020084170.tif 000013
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
硫酸カルシウムと平均分子量が０．１×１０３〜４．５×１０３であるフルボ酸溶液とを混錬する混錬工程と、
前記混錬で得られた混合物を造粒する造粒工程と、
前記造粒で得られた混合物を乾燥する乾燥工程と、
を含むことを特徴とする土壌改質剤の製造方法。
【請求項２】
前記乾燥工程後に２４時間以上、室温以上の温度環境下で前記混合物を静置する養生工程を含むことを特徴とする請求項１に記載の土壌改質剤の製造方法。
【請求項３】
前記フルボ酸溶液は、土壌に対してアルカリ溶液で腐食酸を抽出し、更に塩酸を加えてフミン酸を沈殿させた残りの上澄み液であることを特徴とする請求項１又は２に記載の土壌改質剤の製造方法。
【請求項４】
硫酸カルシウムと平均分子量が０．１×１０３〜４．５×１０３のフルボ酸とを含み、フミン酸を実質的に含まない粒状体であることを特徴とする土壌改質剤。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
硫酸カルシウムと平均分子量が０．１×１０３〜４．５×１０３であるフルボ酸溶液とを混錬する混錬工程と、
前記混錬で得られた混合物を造粒する造粒工程と、
前記造粒で得られた混合物を乾燥する乾燥工程と、
を含み、
前記フルボ酸溶液は、土壌に対してアルカリ溶液で腐食酸を抽出し、更に塩酸を加えてフミン酸を沈殿させた残りの上澄み液であることを特徴とする土壌改質剤の製造方法。
【請求項２】
前記乾燥工程後に２４時間以上、室温以上の温度環境下で前記混合物を静置する養生工程を含むことを特徴とする請求項１に記載の土壌改質剤の製造方法。
【請求項３】
硫酸カルシウムと平均分子量が０．１×１０３〜４．５×１０３のフルボ酸とを含み、フミン酸を実質的に含まない粒状体であることを特徴とする土壌改質剤。